(57)【要約】      （修正有）【課題】的面に向けて投球すると、正面の投球者に向けて自動的に返球を誘導するものとなって容易に捕球可能な上、的面より上方に暴投してしまった場合にも同様に捕球および返球可能であり、しかも折り畳んでコンパクトに運搬、収納可能となる新たな投球型機能鍛錬器具を提供する。【解決手段】的面１１となる的板箱１を設け、同的板箱１の内がわに収納部１７を形成して捕球ネット２３を張設した捕球枠２を収納自在に組み込むと共に、当該的板箱１の背面１６および／または側面１５の適所に、折畳型の自立機構４を設ける一方、当該的板箱１的面１１の下端には、複数個の単位レーン６０，６０からなる分割型返球誘導レーン６の一方端を着脱自在に連結してなる。【選択図】図１
0003159057.tif 000002
【実用新案登録請求の範囲】
【請求項１】
矩形平面状とした的面の中央に投球目標となる標的を表示した的板を有し、同的板の的面裏面がわとなる背面がわには、同的板の上方に延伸または展開させて突出状姿勢に保持し、且つ同的板の背面がわに収まるよう没入または折畳み状に収納自在とする矩形枠体に捕球ネットを張設した捕球枠を組み込むと共に、当該的板の背面および／または側面の適所に、折畳型または伸縮型の自立機構を設ける一方、当該的板的面の下端には、折畳型、伸縮型または分割型の何れかとした返球誘導レーンの一方端を着脱自在に連結してなるものとしたことを特徴とする投球型機能鍛錬器具。
【請求項２】
厚板状で少なくとも上端木口に抜ける収納部を開口し、表面である的面の中央に投球目標となる標的を表示した的板箱を有し、同的板箱の収納部には、同的板箱の上方に延伸または展開させて突出状姿勢に保持し、且つ同的板箱の収納部に収まるよう没入または折畳み状に収納自在とする矩形枠体に捕球ネットを張設した捕球枠を組み込むと共に、当該的板箱の背面および／または側面の適所に、折畳型または伸縮型の自立機構を設ける一方、当該的板箱的面の下端には、折畳型、伸縮型または分割型の何れかとした返球誘導レーンの一方端を着脱自在に連結してなるものとしたことを特徴とする投球型機能鍛錬器具。
【請求項３】
返球誘導レーンが、その返球誘導方向に沿って同一形状、複数個の単位レーン同士を連結金具を介して連続状に接続可能としたものであって、各単位レーンは夫々、その左右巾寸法を的板または的板箱の左右巾に略一致すると共に、そのレーン長寸法を的板または的板箱の上下長寸法と一致するか、または、的板または的板箱の上下長寸法の２／３ないし同的板または的板箱の上下長寸法の範囲内に収まるよう規制した上、各単位レーンの左右縁には全長に渡って返球の逸脱を阻止可能なガイドレールを一体化形成してなるものとした、請求項１または２何れか一記載の投球型機能鍛錬器具。
【請求項４】
捕球ネット用の捕球枠と、同捕球枠を突出状に支持可能とした的板または的板箱上端付近との間には、当該的板または的板箱の的面に対して、該捕球枠を上端がわ前傾姿勢に仮固定可能とする前傾仮固定機構を組み込んでなるものとした、請求項１ないし３何れか一記載の投球型機能鍛錬器具。
【請求項５】
的板または的板箱の自立機構が、同的板または的板箱の的面上端を後傾状任意角度に調節、仮固定可能とする後傾調節機構を組み込んでなるものとした、請求項１ないし４何れか一記載の投球型機能鍛錬器具。                                                          
【考案の詳細な説明】
【技術分野】
【０００１】
この考案は、投球行動の繰返しによって身体機能の鍛錬をする装置に関連するものであり、特に投球したボールを投球者に向けて自動的に返球可能とする投球型機能鍛錬用の装置類を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                            
【背景技術】
【０００２】
（着目点）
健康維持や筋力強化、児童の身体の健全な発育、体力低下の防止、または、体に障害を持つ患者や身体機能が低下した高齢者のリハビリテーションなどに有効な運動の１つとして野球ボールやソフトボール、各種ビーチボール、各種ゴムボールなどを利用した投球練習やキャッチボール運動が、全身の運動機能を回復、強化に繋がると共に、精神的なリフレッシュにも有効であり、様々な医療施設や介護施設などが推奨するものとなっているが、このように取り上げる投球運動も、少しずつ毎日、継続的に行うことによって実効が期待されるものの、そのためには、投球したボールを受け取って投球者に返球してくれる相手が必ず必要となるのであって、相手がいないときには全く投球できないという難点があった。
【０００３】
（従来の技術）
こうした状況を憂慮し、例えば、下記の特許文献１（１）や（２）に提案されているものに代表されるように、凹凸面状のボードに向けて投球すると、ボードに当たったボールが様々な方向に跳ね返り、１人でも投球や捕球の練習ができるようにしたものや、同特許文献１（３）および（４）に見られるような、ボール受けボードを前傾や後傾姿勢に調節可能に支持し、ボールの跳ね返り方向を変更できるようにしたもの、または、例えば、特許文献１（５）ないし（７）のように、各種的形状をなす枠体の全体または中央の的周囲の適所などに、１個または複数個の器状ネットを装着し、捕球可能としてなるものなどが散見される。
【０００４】
しかし、前者特許文献１（１）や（２）に示されているような凹凸面状のボードは、スポーツ選手などが高度な捕球技術を習得するための練習器具としては有効なものと云えるものの、身体に故障のある患者や足下が不安定な高齢者などのリハビリテーション用としては、運動が激し過ぎて反って症状を悪化させてしまったり、怪我を引き起こしてしまう虞があって機能回復用には不向きであり、また、特許文献１（３）および（４）のボール受けボードの支持角度を調節可能としたものなどは、誤ってボードの外がわに投球してしまった場合には、暴投になってしまう危険性があり、特にボードの上がわに逸れたボールは、窓ガラスを割ったり、周囲の人の頭部付近に飛んだりする虞があることから、設置場所や運動場所を注意深く選択しなければならないという欠点があり、さらに、後者特許文献１（５）ないし（７）に代表するもののように、的を形成する枠体に捕球ネットを装着したものは、的枠内に入ったボールを捕球して留め置き、周囲に転がるのを防止できるのは良しとしても、効率的な鍛錬をしようとするには多数個のボールを必要とすることになってしまう上、全てのボールを投げ終え、投げる球が尽きてしまうと、その都度、捕球ネットまで歩み寄って全てのボールを回収してから元の投球位置に戻り、再度投球運動を開始しなければならないという不便なものであった。                                        
【特許文献１】（１）特開平９−６６９号公報    （２）特開平６−８６７６３号公報    （３）特開２００３−７９７７４号公報    （４）特開２００３−２２５３３６    （５）特開２００６−２２３８４６号公報    （６）特開２００８−２２０７１６号公報    （７）実開平７−２１０７８号公報
【考案の開示】
【考案が解決しようとする課題】
【０００５】
（問題意識）
このように、従前までに提案のある各種投球受けボード類や捕球ネット類などは、何れもが本格的スポーツ技術向上用の捕球練習器具類としての利用を前提にするものだったり、そうでないとしても多数のボールを投球した後に捕球ネットまで回収しに行かなければならなくて使い勝手までに配慮を欠くものであったりしたため、身体機能の鍛錬を必要とする目的用に利用するのは難しく、高齢の域に差し掛かって筋力の低下が日ごとに気に掛かり始めた者の一人として、誰の手も借りること無く気兼ね無用で、気が向いたときに１個のボールだけででも、１人でそのボールを使って的を狙った投球し、反って来るボールを投球位置で受け止める動作を繰り返すことができる上、仮令、的上方への暴投となることがあったとしても同様に投球位置に向けて確実に返球可能となるようしたもので、しかも、コンパクト化して運搬、収納可能となる有効な投球型機能鍛錬用器具類が、未だに実用化されて来ない実態が気掛かりとなり、不満を抱くこととなっていた。
【０００６】
（考案の目的）
そこで、この考案は、身体機能の衰えを意識し始めた初老の一人として、的面に向けて投球すると、正面の投球者に向けて自動的に返球を誘導してくれることとなって容易に捕球可能な上、的面より上方に暴投してしまったときでも同様に捕球および返球を可能とし、しかも折り畳んでコンパクトに運搬、収納可能となる新たな投球型機能鍛錬用器具技術の開発はできないものかとの判断から、逸速くその開発、研究に着手し、長期に渡る試行錯誤と幾多の試作、実験とを繰り返してきた結果、今回、遂に新規な構造の投球型機能鍛錬器具を実現化することに成功したものであり、以下では、図面に示すこの考案を代表する実施例と共に、その構成を詳述することとする。                                                          
【課題を解決するための手段】
【０００７】
（考案の構成）
図面に示すこの考案を代表する実施例からも明確に理解されるように、この考案の投球型機能鍛錬器具は、基本的に次のような構成から成り立っている。
即ち、矩形平面状とした的面の中央に投球目標となる標的を表示した的板を有し、同的板の的面裏面がわとなる背面がわには、同的板の上方に延伸または展開させて突出状姿勢に保持し、且つ同的板の背面がわに収まるよう没入または折畳み状に収納自在とする矩形枠体に捕球ネットを張設した捕球枠を組み込むと共に、当該的板の背面および／または側面の適所に、折畳型または伸縮型の自立機構を設ける一方、当該的板的面の下端には、折畳型、伸縮型または分割型の何れかとした返球誘導レーンの一方端を着脱自在に連結してなるものとした構成を要旨とする投球型機能鍛錬器具である。
【０００８】
この基本的な構成からなる投球型機能鍛錬器具をより具体的なものとして示すと、厚板状で少なくとも上端木口に抜ける収納部を開口し、表面である的面の中央に投球目標となる標的を表示した的板箱を有し、同的板箱の収納部には、同的板箱の上方に延伸または展開させて突出状姿勢に保持し、且つ同的板箱の収納部に収まるよう没入または折畳み状に収納自在とする矩形枠体に捕球ネットを張設した捕球枠を組み込むと共に、当該的板箱の背面および／または側面の適所に、折畳型または伸縮型の自立機構を設ける一方、当該的板箱的面の下端には、折畳型、伸縮型または分割型の何れかとした返球誘導レーンの一方端を着脱自在に連結してなるものとした構成からなる投球型機能鍛錬器具となる。                                                      
【考案の効果】
【０００９】
以上のとおり、この考案の投球型機能鍛錬器具によれば、従前までのものとは違い、上記したとおりの固有の特徴ある構成から、軽量で簡単に分解、折畳み、コンパクト化して容易に運搬、収納することができるから、キャッチボールの相手がいない場合や、毎日投球型機能鍛錬を繰り返すような場合にも、１人で簡単、迅速に設置して短時間の中に投球型機能鍛錬を開始することができる上、投球したボールは、的板または的板箱の的面に当たると返球誘導レーンに落下し、投球者に向けて転がり返球するよう正確に誘導されるから、複数個のボールを準備したり、複数個のボールを回収して廻ったりする必要の無いものとなり、投球位置から大きく移動することもない状態のまま、１個のボールを投球して捕球するまでのサイクルを何度でも繰り返すことができ、しかも的面を外れて上がわに暴投してしまったような場合にも、捕球枠が確実に捕球して正確に返球するようにしたものとなっているから、暴投した場合のボール回収の頻度を大幅に削減し得ることとなって一段と効率的な投球、捕球練習を行うことができるものとし、さらに、上端後傾姿勢に自立可能とした的板または的板箱は、その的面１１が僅かに上向きに設置可能になるから、オーバースローだけでなくて変則的なアンダースローにも適したものとなるなど変化に富んだ投球も可能となり、それだけ飽きること無く続けての使用ができるものとなり、より一層、運動不足の解消や各種リハビリテーションなどとしての有効利用に繋がるという秀れた効果を発揮するものとなる。
【００１０】
加えて、捕球枠を的板箱の収納部に没入または折畳み状に収納自在になるものとしてあり、収納中の捕球枠の捕球ネットを的板箱が包囲して周囲他物への引っ掛かりや汚損、劣化などから保護可能として耐久性を高めたものとすることができる上、内部に収納部を形成した的板箱は軽量化可能で、その強度を高めて一段と耐久寿命を長らえることできるものになるという効果を奏するものとなり、また、的板または的板箱の上下長寸法の２／３か，ないしは同的板または的板箱の上下長寸法の範囲内に収まるよう規制してなる複数個の単位レーン同士を、連結金具で連結可能としてなる返球誘導レーンを組み込んだものとなし、分解状態で的板または的板箱の形状、寸法内に収まるよう重ねることができるようにしてあり、格段に運搬、収納性を格段に高めたものとすることができる利点が得られる。
【００１１】
また、捕球枠用の前傾仮固定機構を組み込んでなるものは、的板または的板箱の上方に逸れた暴投を捕球し、より確実に返球誘導レーンに向けて落下させるのに有効なものとなり、正確に投球者に向けて転がり返球し、暴投の回収という面倒を大幅に削減することができるものとなり、さらにまた、的板または的板箱の自立機構に、後傾調節機構を組み込むようにしたものでは、投球者の筋力の強度や快復具合などの各種条件、および、狙い易さなどの好みに応じて的板または的板箱の自立角度を自在に調節できるものとなる外、様々な投球パターンの練習が可能になるなど、楽しみながらのリハビリテーションや、筋肉疲労を回避して筋力バランスを考慮した投球運動として、大いに役立つものになるという効果を奏するものとなる。                                                                            
【考案を実施するための最良の形態】
【００１２】
上記したとおりの構成からなるこの考案の実施に際し、その最良もしくは望ましい形態について説明を加えることにする。
的板は、その前面の一部または全体が投球用の目標となり、衝突したボールを反発可能であると共に、その中央に標的を表示するものであって、捕球枠を没入状または折畳み状に収納可能とする機能を果たすものであり、投球型機能鍛錬による連続的ボールの衝突に充分に耐える強度を有するものとし、矩形平面状とした的面の中央に投球目標となる標的を表示し、該的面裏面がわとなる背面がわには、上方に延伸または展開させて突出状姿勢に保持可能で、背面がわに収まるよう没入または折畳み状に収納自在となる捕球枠を組み込み可能であると共に、当該的板の背面および／または側面の適所に、折畳型または伸縮型の自立機構を設けたものとしなければならず、下端に返球誘導レーンの一方端を着脱自在に連結可能なものとすべきであり、後述する実施例に示すように、上端付近に捕球枠を上端がわ前傾姿勢に仮固定可能とする前傾仮固定機構を組み込んだものとするのが望ましく、厚板状で少なくとも上端木口に抜ける収納部を開口し、同収納部に捕球枠を上昇、没入自在に収納可能なものとし、的面に緩衝シートを貼着したものとするのが良く、例えば、地上面から野球やソフトボールのストライクゾーンに規定されている平均的な上限と略同じ高さ寸法、および、該ストライクゾーンと同じ左右巾寸法に設定し、実戦を想定したピッチング練習が可能なものとすることができる。
【００１３】
的板箱は、基本的に的板と同様の機能を果たすものであり、その厚板形状の少なくとも上端木口に抜ける収納部に、捕球枠を没入状または折畳み状に収納可能とする機能を果たすものであって、背面および／または側面の適所に、折畳型または伸縮型の自立機構を設け、的面下端に返球誘導レーンの一方端を着脱自在に連結可能とし、上端付近には捕球枠を上端がわ前傾姿勢に仮固定可能とする前傾仮固定機構を組み込んだものとしなければならず、後述する実施例に示すように、的面、左右側面、および的面裏面がわとなる背面からなる平断面形矩形枠状か、または、的面および左右側面からなる平断面形概略冖字状に形成したものとするのが望ましい。
【００１４】
自立機構は、的板または的板箱を所定の縦姿勢に自立可能とするよう支持すると共に、収納や運搬のときなどには的板または的板箱の内部か外部かの適所に適宜収納できるという機能を有し、的板または的板箱に対して側面形状Ａ字形、Ｌ字形、転倒T字形、ｈ字形、Λ形、△形、∩形、または、それらに類する適宜形状など、安定に支持可能な様々な形状とするよう組み込んだものとすることが可能であり、蝶番で開閉状に展開、折畳み可能としたものや、引きだし状に伸縮自在に組み込んだもの、的板または的板箱の底面左右がわ夫々に短冊状脚部を軸着し、９０°回転させて自立可能なものとするなど、多様な形状、機構のものを採用することができ、さらに、後述する実施例に示すように、的板または的板箱の的面上端を後傾状任意角度に調節、仮固定可能とする後傾調節機構を組み込んでなるものとすることができる。
【００１５】
後傾調節機構は、自立機構による的板または的板箱の支持角度を、同的板上端または的板箱上端を後傾状任意角度に調節、仮固定可能とするものであり、自立機構による支持角度をネジ締めによる調節、固定や、節度感をもったダイヤルによる調節などの外、後述する実施例に示すように、的板または的板箱の裏面がわに自立機構となる開脚板の上端を軸着し、その下端がわ左右何れか一側壁から突出させた係合鈎に対し、当該的板または的板箱の左右何れか対応する側壁に軸着した開度調節アームの該係合鈎に対峙可能な縁部分に複数並べて形成した調節溝の何れか、所望角度に支持可能となる１箇所を任意選択的に係合し、仮止め可能とするようにしてなるものとすることができる。
【００１６】
前傾仮固定機構は、的板または的板箱上端より上方に突出させた捕球枠を所定の前傾角度姿勢に仮固定可能とするものであり、的板または的板箱上端左右がわ夫々に鈎爪を設け、捕球枠の下端左右がわ適所を各鈎爪に係合し、所定前傾姿勢に支持可能としたものや、捕球枠下端に所定角度の舌片状フランジ部を設け、的板または的板箱上端に、該フランジ部を介してボルト・ナット結合可能としたものなどとすることができる外、後述する実施例に示すように、的板箱の的面上端左右がわ適所に、捕球枠の下端がわ左右適所が係合可能な掛止溝を形成し、該捕球枠の下端を裏面壁の内がわに当接し、同捕球枠の下端がわ左右適所を的面壁上端の各掛止溝に嵌合させた上、同捕球枠の下端がわ左右適所を、当該的板箱の左右側面壁に外がわから貫通状に螺着した左右蝶螺子にて夫々仮固定可能としてなるものとすることができる。
【００１７】
捕球枠は、的板または的板箱よりも上がわに逸れた暴投を受けて返球誘導レーンがわに向けて落下、返球可能とするものであり、的板または的板箱と同等か、または、それらよりも僅かに小さな矩形枠状の捕球枠の内がわに、投球に用いるボールの直径よりも目の細かい捕球ネットを装着してなるものとしなければならず、捕球枠および捕球ネットは何れも然程の弾発力を発揮することなく、投球の勢いを減速させるように捕球し、ボールを留めることなく落下、返球可能なものとするのが望ましい。
【００１８】
返球誘導レーンは、的板または的板箱、および捕球枠に当たって落下したボールを投球者に向けて誘導可能とするものであり、当該的板または的板箱の的面下端から投球者がわに向けて平面直線状に組み込み可能であって、左右縁にはボールの逸脱を阻止可能とするガイドレールを設けたものとしなければならず、当該的板または的板箱の的面下端付近に連結可能で、同的板または的板箱と同等か、またはそれらよりも僅かに小さな寸法のものとするように、折畳み、ロール状折畳み、伸縮または分割可能なものとするのが望ましく、後述する実施例に示すように、当該的板または的板箱の的面からの返球誘導方向に沿って同一形状、複数個の単位レーン同士を連結金具を介して連続状に接続可能としたものであって、各単位レーンは、夫々その左右巾寸法を的板または的板箱の左右巾に略一致すると共に、そのレーン長寸法を的板または的板箱の上下長寸法と一致するか、または、的板または的板箱の上下長寸法の２／３ないし同的板または的板箱の上下長寸法の範囲内に収まるよう規制したものとすることができる。
【００１９】
ガイドレールは、ガイドレール上を転がるボールが同ガイドレール上から逸脱しない程度の高さに設定すれば足るものであり、収納性や運搬性を考慮すると的板または的板箱の厚み寸法程度に留めるのが望ましく、また、連結金具は、当該的板または的板箱の的面下端がわに単位レーンの対応する端部を連結可能とし、また、各単位レーンの対峙端部同士を連結可能とするようにし、双方をリング状金具として折畳み自在に連結したものとすることができる外、後述する実施例に示すように、一方を平面形Ω字金具とし、他方を側面形転倒Ｊ字金具として着脱可能にすることが可能である。
以下では、図面に示すこの考案を代表する実施例と共に、その構造について詳述することとする。                                                                                                            
【実施例１】
【００２０】
図１の投球型機能鍛錬器具を側方から見た斜視図、図２の投球型機能鍛錬器具を投球者がわから見た斜視図、図３の投球型機能鍛錬器具を斜め後方から見た斜視図、図４の捕球枠を組み込む的板箱の正面図、図５の捕球枠を引き出しまたは収納する的板箱の正面図、図６の的板箱に対して前傾する捕球枠の側面図、図７の捕球枠を収納した的板箱の正面図、図８の捕球枠を収納した的板箱の側面図、図９の自立状に設置する的板箱の側面図、図１０の後傾調節機構の斜視図、図１１の折畳み状態の投球型機能鍛錬器具の斜視図、および、図１２の利用状態の投球型機能鍛錬器具の斜視図に示す事例は、表面を的面１１となる的板箱１を設け、同的板箱１の内がわに収納部１７を形成して捕球ネット２３を張設した捕球枠２を収納自在に組み込むと共に、当該的板箱１の背面１６および／または側面１５の適所に折畳型の自立機構４を設けるようにする一方、当該的板箱１的面１１の下端には、複数個の単位レーン６０，６０からなる分割型返球誘導レーン６の一方端を着脱自在に連結してなるものとした、この考案の投球型機能鍛錬器具における代表的な一実施例を示すものである。
【００２１】
それら各図からも明確に把握できるとおり、この考案の投球型機能鍛錬器具は、的面１１用となる野球やソフトボールのストライクゾーンを模した縦長矩形平面状の的面壁１０を有し、該的面壁１０は、例えば、その左右巾寸法がホームベースと同程度の約４３ｃｍか、または野球ボール８個分に相当するものとし、高さは地上面から平均的ストライクゾーンの上端に相当する寸法に設定したものとすることができ、同的面１１の表面全体には、発泡合成樹脂製で中央に輪状の標的１３を表示した薄い緩衝シート１２を充分な強度で貼着し、同的面壁１０左右端には夫々持ち手用ハンドル部１４，１４を固着すると共に、同的面壁１０背面がわ左右端縁には、上下端間に渡って狭巾矩形状で上下に細長い左右側面壁１５，１５を夫々結合した上、各左右側面壁１５，１５の後端間には、的面壁１０裏面がわ全面を覆う裏面壁１６を結合し、全体が厚板状で上端木口に開口する矩形板状の収納部１７を内がわに形成した的板箱１であって、図４ないし図８に示すように、該的板箱１の収納部１７内には、同収納部１７内部寸法内に収まる寸法の矩形枠体２で、その上端横枠のみ該的板箱１左右巾より僅かに左右に長い円柱状の引上げ用ハンドル部２０とし、同矩形枠体２の内がわ全体に軟質合成樹脂製の捕球ネット２３を張設してなる捕球枠２を、該引上げ用ハンドル部２０の両端が該的板箱１上端の収納部１７開口縁に係合する位置まで収納状に組み込み可能とし、該引上げ用ハンドル部２０を把持して引き上げ操作可能とするよう上下スライド自在に収納したものとしてある。
【００２２】
図１ないし図９に示すように、当該的板箱１的面壁１０上端の収納部１７開口縁であって、上方に引き出した捕球枠２の左右縦枠部２１，２１に対峙する左右端がわ位置には、夫々正面矩形Ｕ字型の掛止溝３０，３０を形成し、円柱形状の下端横枠２２を裏面壁１６内面に当接し、左右縦枠部２１，２１を各掛止溝３０，３０に嵌合するようにして、捕球枠２を所定角度の前傾姿勢に保持可能なものとした上、各掛止溝３０，３０の左右外がわに相当する的面壁１０左右外角付近に、同的面壁１０左右巾中央に向けた水平姿勢の左右埋め込みナットと、それらに左右外がわから螺着可能な左右蝶螺子３１，３１とを夫々設け、各蝶螺子３１，３１を締め付けると夫々の先端が、各掛止溝３０，３０に嵌合させた左右縦枠部２１，２１に左右外がわから夫々圧接、仮固定可能とするものとなり、それら左右掛止溝３０，３０および左右蝶螺子３１，３１が前傾仮固定機構３を形成するようにしてある。
【００２３】
図１および図３ないし図１０（特に図３、図９および図１０）に示すように、的板箱１裏面壁１６の上端には、同裏面壁１６と同じ縦寸法で左右巾が僅かに狭く設定してある平板状の開脚板４０の上端を蝶番４１で開閉自在に連結して自立機構４を形成し、さらには、当該開脚板４０下端（遊端）の左右何れか一側に円柱状の係合鈎５０を水平に突出したものとする一方、左右何れか同側の的板箱１側面壁１５下端であって、しかも持ち手用ハンドル部１４の後ろがわとなる外壁面には、的板箱１の縦長寸法より短く設定した所定長寸法の開度調節アーム５１の基端を、この的板箱１に平行に折畳み可能とするよう水平軸心回りに回動自在に軸着し、同開度調節アーム５１の該的板箱１後方に向けて横転させた場合に下向きとなる縁に、その長さ寸法方向に沿って所定寸法置き毎に、当該係合鈎５０に嵌合可能な転倒Ｕ字形の調節溝５２，５２，……を複数個刻設してなる後傾調節機構５を有するものとしてあり、必要に応じて、当該的板箱１の夫々対応する適所には、当該開脚板４０および開度調節アーム５１を折畳み状態にて各々仮固定可能な、図示しない仮止め金具を設けたものとすることもできる。
【００２４】
また、図１ないし図３および図１１に示すように、返球誘導レーン６は、当該的板箱１に略等しい左右巾および縦長寸法に設定した矩形状平板で、その左右巾端上に、数ｃｍないし１０ｃｍ程度の高さとした細長い平板状のガイドレール６１，６１を縦設し、縦長方向一方端の左右巾中央には、側面概略転倒Ｊ字形の掛け金具７０を固着し、それとは反対がわの縦長方向他方端の左右巾中央には、平面概略Ω字形の受け金具７１を固着してなる単位レーン６０の２台を、互いの前記掛け金具７０および受け金具７１からなる連結金具７で縦列状に連結ならびに分解可能としてなるものであり、２台中の何れか一方の単位レーン６０の掛け金具７０を当該的板箱１的面壁１０下端中央の、地上から各単位レーン６０の板厚寸法より僅かに高い位置に固着した、平面概略Ω字形の受け金具７１に着脱自在に連結可能なものとし、連結状態では的板箱１下端付近から、その正面前方に向けて緩やかに下り傾斜を持つよう設定したものである。
【００２５】
そして、図２に示すように、各単位レーン６０，６０の中、的板箱１に直接連結していない単位レーン６０には、的板箱１に直接連結する単位レーン６０の受け金具７１に連結可能な掛け金具７０だけを設け、連結しない他方端には、連結金具７を設けなくても足るものの、何れの単位レーン６０，６０が前後しても支障無く組み立て可能とするよう、連結金具７を夫々同一箇所に設けたものとするのが良い。
【００２６】
（実施例１の作用・効果）
以上のとおりの構成からなるこの考案の投球型機能鍛錬器具は、図１１に示してあるように、分解して畳まれた状態から、投球型の機能鍛錬に使用できる状態に組み立てるには、図９および図１０に示すように、的板箱１自立機構４の開脚板４０を蝶番４１軸を中心に展開状に開脚すると共に、後傾調節機構５開度調節アーム５１の遊端を後方に倒して何れか任意選択した調節溝５２に係合鈎５０を係合して開脚角度を仮固定し、当該的板箱１を所定後傾角度に自立させたものとし、さらに、図５ないし図９に示すように、的板箱１上端に露出している引上げ用ハンドル部２０を把持して捕球枠２がその基端付近まで露出するよう上向きに引き出した上、下端横枠２２が的板箱１裏面壁１６内側壁面に当接するようにし、左右縦枠２１，２１の下端がわを的板箱１的面壁１０上端の前傾仮固定機構３左右掛止溝３０，３０に嵌合するよう所定角度前傾させ、左右外がわの各蝶螺子３１，３１を締め付けて仮固定したものとする。
【００２７】
また、図９に示すように、自立させた的板箱１的面壁１０下端の受け金具７１には、図１ないし図３に示すように、返球誘導レーン６の単位レーン６０の掛け金具７０を上方から下向きに連結し、該的面壁１０がわとは反対がわの端部に向けて僅かに下り勾配姿勢となるよう連続配置とした上、同単位レーン６０の連結済み端とは反対がわとなる端部の受け金具７１に、次の単位レーン６０の掛け金具７０を連結して組み立てを完了する。
【００２８】
以上のように組立を終えた投球型機能鍛錬器具は、同投球型機能鍛錬器具から前方に１０ｍ前後離れた位置に投球者（図示せず）が立ち、図１２に示すように、的板箱１的面１１の標的１３に目掛けて投球すると、同図１２中に破線軌道で示すように、後傾姿勢に自立した的板箱１の標的１３に命中するか、またはその周辺の的面１１に当たったボール８が、緩衝シート１２で反発力を減衰されて返球誘導レーン６上に落下し、各単位レーン６０，６０のガイドレール６１，６１，……によって誘導されながら自動的に、投球者がわに転がり返球されるものとなり、また、同図１２中の二点鎖線に示すように、的面１１よりも上がわに暴投してしまったようなときには、前傾姿勢に支持した捕球枠２の捕球ネット２３によって衝突力を減衰して返球誘導レーン６上に落下し、的面１１に当たった場合と同様に、投球者がわに自動的に誘導、返球されるものとなる。
【００２９】
図５ないし図１０に示すように、投球型機能鍛錬を終えて当該投球型機能鍛錬器具を運搬や収納する場合には、前傾仮固定機構３の左右蝶螺子３１，３１を緩めて捕球枠２を的板箱１に平行な姿勢に戻し、収納部１７内にスライド収納可能であり、引上げ用ハンドル部２０の両端が、収納部１７上端開口左右縁に係合して全部収納されてしまうのを防止するものとなり、さらに、自立機構４および後傾調節機構５の開度調節アーム５１調節溝５２を係合鈎５０から外して、的板箱１側面壁１５に重なるように折畳み収納すると共に、開脚板４０を的板箱１裏面壁１６に重ね合わせた状態に折畳み、仮止め金具（図示せず）を有するものの場合には、それらを用いて該開脚板４０および開度調節アーム５１を的板箱１の対応適所に夫々仮固定することが可能であり、図１１に示すように、収納や運搬中の折畳み状態を一段と確実に維持可能なものとすることができる。
【００３０】
そして、図１ないし図３および図１１に示すように、返球誘導レーン６は、２台の単位レーン６０，６０を夫々互いの連結金具７（掛け金具７０、受け金具７１）ならびに的板箱１的面壁１０下端の連結金具７（受け金具７１）から分離した上、双方のガイドレール６１，６１，……同士をずらすようにして、互いの返球誘導上面同士を対峙させるよう重ね合わせ、コンパクト化して収納、運搬可能なものとすることができる。
【００３１】
（結  び）
叙述の如く、この考案の投球型機能鍛錬器具は、その新規な構成によって所期の目的を遍く達成可能とするものであり、しかも製造も容易で、従前からの各種ボール受けボード類やボール受けネット類などの技術に比較して、投球後に安定した転がり返球を得ることができるから、特に足腰の筋力が低下している患者や高齢者などにも、格段に安全に投球、捕球運動ができるものとなり、しかも構造が簡素で低廉化して遥かに経済的なものとすることができる上、分解、折畳みによってコンパクト化して簡便に運搬、収納できるから、収納スペースの確保が難しい一般家庭でも安心して利用することができ、様々な症状を訴える患者や筋力の低下に悩む高齢者、児童の運動を促したいと考える家族などは固よりのこと、こうした人々に投球運動を推奨する各種医療機関やリハビリ器具業界、および、家庭用遊具・玩具業界などにおいても、高く評価され、広範に渡って利用、普及していくものになると予想される。                                                                                                            
【図面の簡単な説明】
【００３２】
図面は、この考案の投球型機能鍛錬器具の技術的思想を具現化した代表的な一実施例を示すものである。
【図１】側方から見た投球型機能鍛錬器具を示す斜視図である。
【図２】投球者がわから見た投球型機能鍛錬器具を示す斜視図である。
【図３】斜め後方から見た投球型機能鍛錬器具を示す斜視図である。
【図４】捕球枠を組み込む的板箱を示す正面図である。
【図５】捕球枠を引き出しまたは収納する的板箱を示す正面図である。
【図６】的板箱に対して前傾する捕球枠を示す側面図である。
【図７】捕球枠を収納した的板箱を示す正面図である。
【図８】捕球枠を収納した的板箱を示す側面図である。
【図９】自立状に設置する的板箱を示す側面図である。
【図１０】後傾調節機構を示す斜視図である。
【図１１】折畳み状態の投球型機能鍛錬器具を示す斜視図である。
【図１２】利用状態の投球型機能鍛錬器具を示す斜視図である。
【符号の説明】
【００３３】
１      的板箱（的板）
１０    同  的面壁
１１    同  的面
１２    同  緩衝シート
１３    同  標的
１４    同  持ち手用ハンドル部
１５    同  側面壁（側面）
１６    同  裏面壁（裏面）
１７    同  収納部
２      捕球枠
２０    同  引上げ用ハンドル部（上端横枠）
２１    同  左右縦枠
２２    同  下端横枠
２３    同  捕球ネット
３      前傾仮固定機構
３０    同  掛止溝
３１    同  蝶螺子
４      自立機構
４０    同  開脚板
４１    同  蝶番
５      後傾調節機構
５０    同  係合鈎
５１    同  開度調節アーム
５２    同  調節溝
６      返球誘導レーン
６０    同  単位レーン
６１    同  ガイドレール
７      連結金具
７０    同  掛け金具
７１    同  受け金具
８      ボール                                                                                              
【図１】
0003159057.tif 000003
【図２】
0003159057.tif 000004
【図３】
0003159057.tif 000005
【図４】
0003159057.tif 000006
【図５】
0003159057.tif 000007
【図６】
0003159057.tif 000008
【図７】
0003159057.tif 000009
【図８】
0003159057.tif 000010
【図９】
0003159057.tif 000011
【図１０】
0003159057.tif 000012
【図１１】
0003159057.tif 000013
【図１２】
0003159057.tif 000014